(57)【要約】【課題】複数のアプリケーションソフトで発生するメッセージ情報を表示画面上で確実に表示確認できる情報表示装置を提供すること。【解決手段】複数のアプリケーションソフトに対応した各ウィンドウを表示画面に表示するように構成された情報表示装置において、  前記各アプリケーションソフトに関連したそれぞれのメッセージ情報が発生した場合には、これら各メッセージ情報を収集して互いに重ならないようにあらかじめ設定された前記表示画面の所定の表示エリアに配列表示するメッセージ情報収集表示制御手段を設けたことを特徴とするもの。【選択図】                    図１
2011253274.tif 000002
【特許請求の範囲】
【請求項１】
複数のアプリケーションソフトに対応した各ウィンドウを表示画面に表示するように構成された情報表示装置において、
前記各アプリケーションソフトに関連したそれぞれのメッセージ情報が発生した場合には、これら各メッセージ情報を収集して互いに重ならないようにあらかじめ設定された前記表示画面の所定の表示エリアに配列表示するメッセージ情報収集表示制御手段を設けたことを特徴とする情報表示装置。
【請求項２】
前記メッセージ情報収集表示制御手段は前記メッセージ情報を取得して所定のデータ形式に則って加工することを特徴とする請求項１に記載の情報表示装置。
【請求項３】
前記複数のアプリケーションソフトは、プロセス制御システムの保全管理、生産管理、品質管理および作業手順書のうちの少なくとも２つを含むことを特徴とする請求項１または請求項２に記載の情報表示装置。
【請求項４】
前記複数のアプリケーションソフトに対応した各ウィンドウはそれぞれ任意の大きさで任意の位置に配置されることを特徴とする請求項１から請求項３のいずれかに記載の情報表示装置。
【発明の詳細な説明】
【技術分野】
【０００１】
本発明は、情報表示装置に関し、詳しくは、より高度なプロセス制御システムの運転が行える情報表示装置に関するものである。
【０００２】
従来から、たとえば特許文献１に記載されているように、コンピュータで構築された電子化ビジネスシステムと電子化製造システムとを統合することが提案されている。
【０００３】
図２は、特許文献１に開示されている電子化ビジネスシステムを電子化製造システムと統合するための従来の技術例を示すブロック図である。図２のシステムでは、電子化ビジネスシステム１００を使用してビジネス機能を電子化する。電子化ビジネスシステム１００は、オーダスケジューリング、インベントリ・トラッキング、品質管理などを含む機能を処理実行する電子化システムとして構築されている。
【０００４】
代表的な電子化ビジネスシステム１００は、受信した顧客オーダに基づく各製品のオーダスケジューリング、製品インベントリーおよび原材料インベントリに関するコンパイリング情報およびその他の情報などの機能を処理実行することができる。インベントリ・トラッキングは、主として消費された材料（または製造に向けられた材料）および製造された製品に関する通信に基づいて処理実行される。またインベントリ・トラッキングは、出荷部から出荷された製品および入荷部に到着した材料に関するレポートに基づいて処理実行される。
【０００５】
電子化製造システム２００はオプションプロセス情報システム（以下プロセス情報システムという）２０１と、リアルタイムプロセス制御システム（以下プロセス制御システムという）２０２とを含む。プロセス情報システム２０１は、製造プロセスの監視や運転操作にあたるオペレータの作業を支援する。プロセス情報システム２０１は少なくとも１つのプロセス制御システム２０２に対するインタフェースとして機能し、プロセス情報システム２０１の機能階層の一部は多重プロセス制御システム２０２に対する標準インタフェースとして機能する。
【０００６】
これら電子化ビジネスシステム１００と電子化製造システム２００は、ヒューマンインタフェース３００を介して結合されている。
【０００７】
ヒューマンインタフェース３００は、たとえば電子化ビジネスシステム１００から製品のワークオーダを受ける。このワークオーダはスケジューリング要求（たとえば納入時期）と結合されている。したがってオペレータは、ヒューマンインタフェース３００を操作してこのワークオーダ情報を電子化製造システム２００に伝送する。
【０００８】
一方、ヒューマンインタフェース３００は、たとえば製造データを、プロセス情報システム２０１から間接に、または反応器および押出器などの製造装置のインタフェースとしてのプロセス制御システム２０２から直接に検索する。オペレータはヒューマンインタフェース３００を操作してこれらのデータを電子化ビジネスシステム１００中の更新インベントリ情報の中に入力する。
【０００９】
図３は、従来のヒューマンインタフェース３００における表示装置の一例を示すブロック図である。図３において、パソコン３１０には液晶モニタ３２０が接続されている。パソコン３１０内の補助記憶装置３１１には、複数のアプリケーションソフト３１２ａ〜３１２ｄがインストールされている。
【００１０】
これらアプリケーションソフト３１２ａ〜３１２ｄが全て起動している状態において、液晶モニタ３２０の表示画面には、各アプリケーションソフト３１２ａ〜３１２ｄに対応したウィンドウ３２１ａ〜３２１ｄが、それぞれ任意の大きさで任意の位置に配置されている。
【００１１】
すなわち、アプリケーションソフト３１２ａのウィンドウ３２１ａは全て見える状態で正しく表示され、アプリケーションソフト３１２ｂのウィンドウ３２１ｂはアプリケーションソフト３１２ａのウィンドウ３２１ａが一部重なっている状態で表示され、アプリケーションソフト３１２ｃのウィンドウ３２１ｃは最小化されてタスクバーに表示され、アプリケーションソフト３１２ｄのウィンドウ３２１ｄは全体がアプリケーションソフト３１２ａのウィンドウ３２１ａの下に隠れて見えない状態になっている。
【００１２】
ところで、図３に示す表示装置では、各アプリケーションソフト３１２ａ〜３１２ｄに関連したそれぞれのメッセージ情報３２２ａ〜３２２ｄが発生した場合には、液晶モニタ３２０に正しく表示されている各ウィンドウ３２１ａ〜３２１ｄの中央部分にそれぞれのメッセージ情報３２２ａ〜３２２ｄを表示するように構成されている。
【００１３】
特許文献２には、複数のジョブからのメッセージを、端末を操作することなく全て表示できるメッセージ表示方式に関する技術が記載されている。
【先行技術文献】
【特許文献】
【００１４】
【特許文献１】特表平９−５０３３２５号公報
【特許文献２】特開平１０−３１２２５５号公報
【発明の概要】
【発明が解決しようとする課題】
【００１５】
すなわち、図３の表示装置では、正しく表示されているアプリケーションソフト３１２ａのウィンドウ３２１ａに関連したメッセージ情報３２２ａは確実に表示確認することができるが、それ以外のアプリケーションソフト３１２ｂ〜３１２ｄで発生したメッセージ情報３２２ｂ〜３２２ｄは、各ウィンドウ３２１ｂ〜３２１ｄが液晶モニタ３２０上に正しく表示されていないため、それらのメッセージ情報３２２ｂ〜３２２ｄを確実に表示確認することができない。
【００１６】
本発明は、このような従来の問題点に着目したものであり、その目的は、複数のアプリケーションソフトで発生するメッセージ情報を表示画面上で確実に表示確認できる情報表示装置を提供することにある。
【課題を解決するための手段】
【００１７】
このような課題を達成する請求項１の発明は、
複数のアプリケーションソフトに対応した各ウィンドウを表示画面に表示するように構成された情報表示装置において、
前記各アプリケーションソフトに関連したそれぞれのメッセージ情報が発生した場合には、これら各メッセージ情報を収集して互いに重ならないようにあらかじめ設定された前記表示画面の所定の表示エリアに配列表示するメッセージ情報収集表示制御手段を設けたことを特徴とする。
【００１８】
請求項２の発明は、請求項１に記載の情報表示装置において、
前記メッセージ情報収集表示制御手段は前記メッセージ情報を取得して所定のデータ形式に則って加工することを特徴とする。
【００１９】
請求項３の発明は、請求項１または請求項２に記載の情報表示装置において、
前記複数のアプリケーションソフトは、プロセス制御システムの保全管理、生産管理、品質管理および作業手順書のうちの少なくとも２つを含むことを特徴とする。
【００２０】
請求項４の発明は、請求項１から請求項３のいずれかに記載の情報表示装置において、
前記複数のアプリケーションソフトに対応した各ウィンドウはそれぞれ任意の大きさで任意の位置に配置されることを特徴とする。
【発明の効果】
【００２１】
これらにより、複数のアプリケーションソフトで発生するメッセージ情報を表示画面上で確実に表示確認できる情報表示装置を実現できる。
【図面の簡単な説明】
【００２２】
【図１】本発明の一実施例を示すブロック図である。
【図２】従来の技術例を示すブロック図である。
【図３】従来のヒューマンインタフェース３００における表示装置の一例を示すブロック図である。
【発明を実施するための最良の形態】
【００２３】
以下、本発明について、図面を用いて説明する。図１は、本発明に係る情報表示装置の一実施例を示すブロック図である。図１において、パソコン３３０には液晶モニタ３４０が接続されている。
【００２４】
パソコン３３０内の補助記憶装置３３１には、プロセス制御システムに関連した複数のアプリケーションソフト３３２ａ〜３３２ｄがインストールされていて、たとえば、
アプリケーションソフト３３２ａ：保全管理ソフト
アプリケーションソフト３３２ｂ：生産管理ソフト
アプリケーションソフト３３２ｃ：品質管理ソフト
アプリケーションソフト３３２ｄ：作業手順書
とする。
【００２５】
これらアプリケーションソフト３３２ａ〜３３２ｄが全て起動している状態において、液晶モニタ３４０の表示画面には、各アプリケーションソフト３３２ａ〜３３２ｄに対応したウィンドウ３４１ａ〜３４１ｄが、それぞれ任意の大きさで任意の位置に配置されている。
【００２６】
すなわち、アプリケーションソフト３３２ａのウィンドウ３４１ａは全て見える状態で正しく表示され、アプリケーションソフト３３２ｂのウィンドウ３４１ｂはアプリケーションソフト３３２ａのウィンドウ３４１ａが一部重なっている状態で表示され、アプリケーションソフト３３２ｃのウィンドウ３４１ｃは最小化されてタスクバーに表示され、アプリケーションソフト３３２ｄのウィンドウ３４１ｄは全体がアプリケーションソフト３３２ａのウィンドウ３４１ａの下に隠れて見えない状態になっている。
【００２７】
また、パソコン３３０内の補助記憶装置３３１には、これら複数のアプリケーションソフト３３２ａ〜３３２ｄにおいて個別に発生するメッセージ情報を取得して所定のデータ形式に則って加工するとともに、これら全メッセージを液晶モニタ３４０の表示画面の所定の表示エリア３４２にメッセージが発生した時系列にしたがって配列表示するメッセージ情報収集表示制御手段としてのメッセージ収集ソフトウェア３３３もインストールされている。
【００２８】
メッセージ収集ソフトウェア３３３は、複数のアプリケーションソフト３３２ａ〜３３２ｄにおいて個別に発生したメッセージ情報を取得すると、たとえば次のようなデータ形式の表示データに加工する。
（例）
発生元アプリケーション名，メッセージ発生時刻，メッセージ内容
ＡＰ（Ａ）＿メッセージ，１１：５５：００，○○終了しました。
【００２９】
このようなメッセージ収集ソフトウェア３３３としては、
ａ）ＯＰＣインタフェース３３３ａ
ｂ）ＩＰＣインタフェース３３３ｂ
ｃ）独自インタフェース３３３ｃ
ｄ）独自インタフェース３３３ｄ
などを用いることができる。
【００３０】
ＯＰＣ（OLE for Process Control）は、マイクロソフト社のＣＯＭ/ＤＣＯＭ（Component Object Model/Distributed Component Object Model）を利用した標準インタフェース仕様であり、計測・制御システムにおけるシステム開発をサポートする標準インタフェースであって、ＰＡ・ＦＡ（Process Automation・Factory Automation）分野でのプロセスデータ交換のための標準仕様になっている。ＯＰＣインタフェース３３３ａは、アプリケーションソフト３３２ａからのメッセージ情報を一括してメッセージ収集ソフトウェア３３３で処理してメッセージ表示を行うために、アプリケーションソフト３３２ａが持っている固有の方言を標準語に通訳する機能を持っている。
【００３１】
ＩＰＣ（Inter-Process Communication）は、動作しているプログラムの間で行われる通信のことである。ＩＰＣインタフェース３３３ｂは、アプリケーションソフト３３２ｂからのメッセージ情報を一括してメッセージ収集ソフトウェア３３３で処理してメッセージ表示を行うために、アプリケーションソフト３３２ｂが持っている固有の方言を標準語に通訳する機能を持っている。
【００３２】
独自インタフェース３３３ｃおよび３３３ｄは、アプリケーションソフト３３２ｃおよびアプリケーションソフト３３２ｄからのメッセージ情報を一括してメッセージ収集ソフトウェア３３３で処理してメッセージ表示を行うために、３３２ｃおよびアプリケーションソフト３３２ｄが持っている固有の方言を標準語に通訳する機能を持っている。
【００３３】
以上説明したように、本発明によれば、複数のアプリケーションソフトで発生するメッセージ情報を表示画面上で確実に表示確認でき、高度なプロセス制御システムの運転に適した情報表示装置を実現できる。
【符号の説明】
【００３４】
３００  ヒューマンインタフェース
３３０  パソコン
３３１  補助記憶装置
３３２  アプリケーションソフト
３３３  ウインドウ画面位置制御アプリケーションソフト
３４０  液晶モニタ
３４１  ウィンドウ
３４２  メッセージ表示エリア
【図１】
2011253274.tif 000003
【図２】
2011253274.tif 000004
【図３】
2011253274.tif 000005